(57)【要約】      （修正有）【課題】店舗において、指袋部を有する衣服を陳列したとき、顧客に対して興味を持たせ、購買意欲の増進を計ることを目的とする。【解決手段】指袋部１４を有する衣服の造花構造１００は、一対の指袋部を有する衣服と、固定手段とを備え、衣服の開口部を二つ折りにし、開口部１１を上方に向けた状態で重ね合わせ、重ね合わせた開口部を花芯とし、指袋部を花弁とするよう、開口部と指袋部の間を一回以上折り返して重ね、全体の外周を固定手段２０で固定した。【選択図】図３
0003116114.tif 000002
【実用新案登録請求の範囲】
【請求項１】
一対の指袋部を有する衣服と、固定手段とを備え、
前記衣服の開口部を二つ折りにし、前記開口部を上方に向けた状態で重ね合わせ、
前記重ね合わせた開口部を花芯とし、前記指袋部を花弁とするよう、前記開口部と前記指袋部の間を一回以上折り返して重ね、全体の外周を前記固定手段で固定したことを特徴とする指袋部を有する衣服の造花構造。
【請求項２】
前記造花構造の周りを包装紙で包装したことを特徴とする請求項１に記載の指袋部を有する衣服の造花構造。
【請求項３】
前記造花構造の下部に棒体を刺し込んで包装したことを特徴とする請求項２に記載の指袋部を有する衣服の造花構造。
【請求項４】
前記指袋部を有する衣服は、指付き靴下あるいは手袋であることを特徴とする請求項１に記載の指袋部を有する衣服の造花構造。
【考案の詳細な説明】
【技術分野】
【０００１】
本考案は造花構造に関し、特に指袋部を有する衣服の造花構造に関する。
【背景技術】
【０００２】
指袋部を有する衣服には、指付き靴下や手袋などが広く知られている。これらは店舗内では、専用のハンガーに掛けたり、また、上部にフックがついたラベルを縫い付け、上下部に金属の留め金を掛けたりするなどし、二枚重ねにして販売する形態や、このように二枚重ねにした指付き靴下をプラスチックフィルムなどで包装して販売する形態などがある。
【考案の開示】
【考案が解決しようとする課題】
【０００３】
しかしながら、上記の販売形態では、二枚重ねにするなどした指袋部を有する衣服を単に陳列しているだけなので、顧客に対して購買意欲の増進を計ることができない。店舗において、指袋部を有する衣服を陳列したとき、顧客に対して興味を持たせ、購買意欲の増進を計ることができる、指袋部を有する衣服の造花構造を提供することを目的とする。
【課題を解決するための手段】
【０００４】
本考案の指袋部を有する衣服の造花構造は、一対の指袋部を有する衣服と、固定手段とを備え、前記衣服の開口部を二つ折りにし、前記開口部を上方に向けた状態で重ね合わせ、前記重ね合わせた開口部を花芯とし、前記指袋部を花弁とするよう、前記開口部と前記指袋部の間を一回以上折り返して重ね、全体の外周を前記固定手段で固定したことを特徴とする。
【考案の効果】
【０００５】
本考案の指袋部を有する衣服の造花構造によれば、指袋部を有する衣服の開口部を花芯、指袋部を花弁とした造花構造により、顧客に対して当該衣服への興味を持たせ、購買意欲の増進を計ることができる。また、これを店舗内に飾っておくことで美観を与えることができ、また、ディスプレイとしても他の商品のアクセント効果も計ることもできる。
【考案を実施するための最良の形態】
【０００６】
以下、本考案を実施するための最良の形態について説明する。本考案の指袋部を有する衣服には、指付き靴下や手袋などがある。本実施の形態では、指付き靴下を用いて説明する。
【０００７】
図１に示すように、指付き靴下の造花構造１００には、一対の指付き靴下１０、固定手段２０を備える。従来どおり、指付き靴下１０は、開口部１１、足首部１２、先端部１３、指袋部１４、及び締付部１５などを有しており、使用者のつま先は開口部１１に挿入し、足首部１２および先端部１３を通って、指袋部１４に足指が収まり、締付部１５により足首を締め付けることにより、履くことができるものを用いる。指付き靴下１０は、足首部１２の長さなどの違いにより様々な種類があるが、指付き靴下であれば適用できるものとする。また、固定手段２０には、輪ゴム、紐などが考えられるが、その他のものであっても良いものとする。さらに、造花構造１００を包装する包装紙２００、及び造花構造１００の下部に刺し込んで、造花構造１００が包装紙２００から外れるのを防ぐ棒体２１０も備える。
【０００８】
以下、本考案の造花構造の作成手順について説明する。はじめに、一対の指付き靴下１０ａ，１０ｂの開口部１１ａ，１１ｂを二つ折りにし、それぞれの開口部１１ａ，１１ｂを上方に向けた状態で重ね合わせる。この時、図２（ａ）に示すように、略同じ位置で重ね合わせる。なお、重ね合わせ方は任意であり、また、この状態で輪ゴムや紐などを用いて固定しても良い（図５（ａ）乃至（ｃ）参照）。
【０００９】
つづいて、重ね合わせた開口部１１ａ，１１ｂを花芯とし、指袋部１４ａ，１４ｂを花弁とするよう、図２（ｂ）に示すように、開口部１１ａ，１１ｂと指袋部１４ａ，１４ｂの間で折り返し、開口部１１ａ，１１ｂと略同じ位置になるように重ね、また、図２（ｃ）に示すように、さらに折り返して、指袋部１４ａ，１４ｂの付け根の位置が開口部１１ａ，１１ｂと略同じ位置になるように重ねる。なお、本実施の形態では、２回折り返して重ねているが、この回数については、指付き靴下１０の大きさや長さなどにも影響し、また、作成しようとする造花の形状にもよるので、最終的に開口部１１ａ，１１ｂを花芯、指袋部１４ａ，１４ｂを花弁となればよく、限定するものではない。最後に、全体の外周を輪ゴムや紐などの固定手段２０を用いて固定することにより、指付き靴下１０を用いた造花構造１００が完成する。
【００１０】
そして、図３に示すように、完成した造花構造１００の周りを包装紙２００で包装するようにしても良い。また、この時、造花構造の下部に棒体２１０を刺し込んで、造花構造１００が包装紙２００から外れるのを防ぐようにしても良い（図４参照）。
【００１１】
以上、本実施の形態によれば、指袋部を有する衣服１０の開口部１１を花芯、指袋部１４を花弁とした造花構造１００により、顧客に対して当該衣服への興味を持たせ、購買意欲の増進を計ることができる。また、これを店舗内に飾っておくことで美観を与えることができ、また、ディスプレイとしても他の商品のアクセントの効果を計ることもできる。
【図面の簡単な説明】
【００１２】
【図１】本考案の一実施の形態で用いる指袋部を有する衣服の造花構造の各構成を示す図
【図２】本考案の一実施の形態で用いる指袋部を有する衣服の造花構造の作成工程を示す図
【図３】本考案の一実施の形態で用いる指袋部を有する衣服の造花構造を示す図
【図４】指袋部を有する衣服の造花構造の下部に棒体を刺し込んで、包装紙から外れるのを防ぐようにした様子を示す図
【図５】指袋部を有する衣服の重ね合わせ例を示す図
【符号の説明】
【００１３】
１０  指付き靴下（指袋部を有する衣服）
２０  固定手段（輪ゴム）
１１  開口部
１２  足首部
１３  先端部
１４  指袋部
１５  締付部
１００  指付き靴下（指袋部を有する衣服）の造花構造
２００  包装紙
２１０  棒体
【図１】
0003116114.tif 000003
【図２】
0003116114.tif 000004
【図３】
0003116114.tif 000005
【図４】
0003116114.tif 000006
【図５】
0003116114.tif 000007